(57)【特許請求の範囲】
【請求項１】
異なるデータ入力環境における表記が共通し意味の候補が複数ある文字列の入力の検出に応じて、
前記文字列が入力された診療記録に対応付けられている、患者の属性、情報を入力している利用者の属性、施設の属性、及びデータ入力環境の少なくとも一つの情報に応じた診療記録の記載内容と前記文字列の意味の各候補の解説との一致度に基づき、前記文字列に付与する意味の候補を出力する処理、
をコンピュータに実行させることを特徴とする属性付与制御プログラム。
【請求項２】
前記文字列の意味の各候補と、データ入力環境を限定しない文書データにおける各用語とが近接して出現する確率の各統計値に基づき、前記文字列に付与する意味の候補を出力する、
ことを特徴とする請求項１に記載の属性付与制御プログラム。
【請求項３】
前記異なるデータ入力環境は、対象者、入力者、入力場所、入力端末、文書種類の少なくともいずれかが異なる環境を含む、
ことを特徴とする請求項１または２に記載の属性付与制御プログラム。
【請求項４】
異なるデータ入力環境における表記が共通し意味の候補が複数ある文字列の入力の検出に応じて、
前記文字列が入力された診療記録に対応付けられている、患者の属性、情報を入力している利用者の属性、施設の属性、及びデータ入力環境の少なくとも一つの情報に応じた診療記録の記載内容と前記文字列の意味の各候補の解説との一致度に基づき、前記文字列に付与する意味の候補を出力する手段、
を備えたことを特徴とする情報処理装置。
【請求項５】
異なるデータ入力環境における表記が共通し意味の候補が複数ある文字列の入力の検出に応じて、
前記文字列が入力された診療記録に対応付けられている、患者の属性、情報を入力している利用者の属性、施設の属性、及びデータ入力環境の少なくとも一つの情報に応じた診療記録の記載内容と前記文字列の意味の各候補の解説との一致度に基づき、前記文字列に付与する意味の候補を出力する処理、
をコンピュータが実行することを特徴とする属性付与制御方法。
【発明の詳細な説明】
【技術分野】
【０００１】
本発明は、属性付与制御プログラム、情報処理装置および属性付与制御方法に関する。
【背景技術】
【０００２】
昨今の情報化の流れに対応し、医師の作成するカルテについても電子化が進んでおり、端末装置から臨床情報の入力が行われてデータベースに格納され、自由に参照が行えるようになっている。
【０００３】
臨床情報の利用形態の一つとして、所定の疾病についての事例を抽出して性質を考察したり、疾病ごとの発生頻度を把握したりする等があるが、それらを行うためには、病名等の用語が統一されている必要がある。
【０００４】
しかし、病名等の用語には略語が使われる場合が多く、例えば、「ＡＳＤ」という用語についても、医学用語辞書に、
ASD  autosensitized dermatitis;  自家感作性皮膚炎
ASD  applicator skin distance;  装着器皮膚間隔
ASD  aortic septal defect;  大動脈中隔欠損
ASD  atrial septal defect;  心房中隔欠損
等の複数の異なるものが掲載されている。
【０００５】
また、医師等は、一義的には自分が見て分かればよいという観点と、記入の効率性とから、電子カルテ等の記載にも略語を多用する傾向にある。
【０００６】
一方、特許文献１には情報分類の技術が開示されている。また、特許文献２には機械翻訳装置の技術が開示されている。
【先行技術文献】
【特許文献】
【０００７】
【特許文献１】特開２００９−２４４９５０号公報
【特許文献２】特開平８−３３９３７３号公報
【発明の概要】
【発明が解決しようとする課題】
【０００８】
上述したように、電子カルテ等の記載には多義を有する略語等が多く含まれるため、２次利用が困難であるという問題があった。
【０００９】
そこで、一側面では、本発明は、登録する文字列の意味を明確にすることを目的とする。
【課題を解決するための手段】
【００１０】
一つの形態では、異なるデータ入力環境における表記が共通し意味の候補が複数ある文字列の入力の検出に応じて、前記文字列が入力された診療記録に対応付けられている、患者の属性、情報を入力している利用者の属性、施設の属性、及びデータ入力環境の少なくとも一つの情報に応じた診療記録の記載内容と前記文字列の意味の各候補の解説との一致度に基づき、前記文字列に付与する意味の候補を出力する処理、をコンピュータに実行させる。
【発明の効果】
【００１１】
登録する文字列の意味を明確にすることができる。
【図面の簡単な説明】
【００１２】
【図１】一実施形態にかかるシステムの構成例を示す図である。
【図２】情報処理にかかる機能構成例を示す図である。
【図３】各種ＤＢ等のデータ構造例を示す図である。
【図４】端末装置のハードウェア構成例を示す図である。
【図５】実施形態の処理例を示すフローチャートである。
【図６】入力されたカルテと抽出されたタームと医学用語辞書等による選択候補の抽出の例を示す図である。
【図７】入力に関係する臨床情報および背景情報の抽出の例を示す図である。
【図８】抽出データ間のマッチングの例を示す図である。
【図９】ワードごとの共起統計の例を示す図である。
【図１０】スコアの算出の例を示す図である。
【図１１】フィードバック入力の例を示す図である。
【図１２】ＸＭＬ形式による注釈情報の例を示す図である。
【発明を実施するための形態】
【００１３】
以下、本発明の好適な実施形態につき説明する。なお、電子カルテ等の診療情報を対象とした例について説明するが、対象はこれに限られない。
【００１４】
＜構成＞
図１は一実施形態にかかるシステムの構成例を示す図である。図１において、電子カルテ等の診療情報が蓄積・保持されるストレージ装置１はＬＡＮ（Local Area Network）・ＷＡＮ（Wide Area Network）等のネットワーク２に接続されており、医師等が使用する端末装置（情報処理装置）３はネットワーク２を介してストレージ装置１に接続可能となっている。
【００１５】
図２は情報処理にかかる機能構成例を示す図である。図２において、ストレージ装置１には背景情報ＤＢ１０１と臨床情報ＤＢ１０２と注釈つき診療記録１０３とが含まれている。背景情報ＤＢ１０１には、図３に示すように、ユニークなＩＤに対応付けられた属性として、患者属性、利用者属性、施設属性、入力環境等が格納されている。患者属性には、患者の氏名、住所、性別、年齢、既往歴（病名、アレルギー等）、問診結果（喫煙、飲酒等の生活習慣情報等）等が含まれる。なお、患者は患者ＩＤにより識別される。利用者属性には、情報の入力を行う利用者の職種（医師、看護師、検査技師、介護士等）、所属（診療科）、専門医認定等が含まれる。なお、利用者は利用者ＩＤにより識別される。施設属性には、情報の入力が行われる、受診場所、端末装置部署（外来診察室、病棟ナースセンタ、医局、検査、在宅等）等が含まれる。なお、施設は施設ＩＤにより識別される。入力環境には、情報が入力される対象の文書種別（プログレスノート、退院サマリ、看護記録、経過表等）等が含まれる。なお、文書種別は文書種別ＩＤにより識別される。
【００１６】
臨床情報ＤＢ１０２には、図３に示すように、ユニークなＩＤに対応付けられた、書誌（入力日時、患者ＩＤ、利用者ＩＤ、施設ＩＤ、文書種別ＩＤ等）と診療記録（自由テキスト）とが含まれている。注釈つき診療記録１０３は、図３に示すように、ユニークなＩＤに対応付けられた、書誌（入力日時、患者ＩＤ、利用者ＩＤ、施設ＩＤ、文書種別ＩＤ等）と診療記録（自由テキスト＋注釈）とが含まれている。注釈つき診療記録１０３は、診療記録に注釈が付加された点が臨床情報ＤＢ１０２と異なり、実質的には同様の臨床情報である。本システムが運用される前の臨床情報が格納されるのが臨床情報ＤＢ１０２であり、本システムが運用された後の臨床情報が格納されるのが注釈つき診療記録１０３となる。従って、臨床情報ＤＢ１０２と注釈つき診療記録１０３を同じデータベースとして管理してもよい。
【００１７】
図２に戻り、端末装置３は、準備処理のための構成として、背景情報プレ取得部３０１と臨床情報プレ取得部３０３と注釈つき医学用語統計抽出部３０５と医学用語辞書３０６と標準コードマスタ類３０７とを備えている。背景情報プレ取得部３０１は、ストレージ装置１の背景情報ＤＢ１０１から時期やその他の条件で絞り込んだ所定範囲の背景情報を取り込み、背景情報３０２を生成する機能を有している。臨床情報プレ取得部３０３は、ストレージ装置１の臨床情報ＤＢ１０２から時期やその他の条件で絞り込んだ所定範囲の臨床情報を取り込み、臨床情報３０４を生成する機能を有している。背景情報３０２、臨床情報３０４のデータ構造は、背景情報ＤＢ１０１、臨床情報ＤＢ１０２と同様である。
【００１８】
注釈つき医学用語統計抽出部３０５は、背景情報３０２と臨床情報３０４に含まれる用語に対して共起統計値（２つの用語が近接して出現する確率の統計値）を算出するとともに、医学用語辞書３０６と標準コードマスタ類３０７に掲載された解説等を注釈として付加して注釈つき診療用語統計３０８を生成する機能を有している。図３において、医学用語辞書３０６には、用語に対応する解説が含まれている。標準コードマスタ類３０７には、用語に対応する標準コード・解説が含まれている。注釈つき診療用語統計３０８には、用語と注釈と共起統計値（他の用語との間の共起統計値）とが含まれている。なお、用語間の共起統計値は別のデータ構造で管理してもよい。
【００１９】
図２に戻り、端末装置３は、診療記録作成時の処理のための構成として、注釈つき用語選択候補生成部３０９とフィードバック提示部３２１とフィードバック入力部３２２と注釈つき診療記録テキスト生成部３２３とを備えている。注釈つき用語選択候補生成部３０９は、入力中データ取得部３１０と用語解析処理部３１２と入力中背景情報取得部３１３と入力中患者臨床情報取得部３１５とマッチング処理部３１７とスコア計算・ソート処理部３１８とを備えている。なお、電子カルテ等を入力する構成については図示を省略しているが、電子カルテ等の入力にあたっては、対象となる患者、医師等の入力者、入力が行われる施設、入力の対象となる文書種別等が特定された上で、診療記録となるテキストデータが入力される。診療記録には、画像等が添付される場合もある。
【００２０】
注釈つき用語選択候補生成部３０９は、医師等による診療記録の入力時に、候補が複数あって意味が特定できない用語について選択候補を列挙した注釈つき単語選択候補リスト３２０を生成する機能を有している。なお、入力時とは、文字列を入力する各時点という意味と、一連の文字列の入力が完了した時点という意味の両者を含み、いずれの実装としてもよい。入力中データ取得部３１０は、医師等により入力中のデータを入力中データ３１１として取得する機能を有している。用語解析処理部３１２は、入力中データ３１１を品詞分解するとともに、医学用語辞書３０６および標準コードマスタ類３０７を参照して対応する解説や標準コードを取得する機能を有している。また、用語解析処理部３１２は、品詞分解により抽出した用語が医学用語辞書３０６や標準コードマスタ類３０７に存在しない場合に、医学用語（新語追加分）３１９として医学用語辞書３０６に追加する機能も有している。医学用語（新語追加分）３１９のデータ構造は医学用語辞書３０６と同様であるが、解説は含まれていないため、関連する背景情報や臨床情報を解説として設定するか、入力者に解説の入力を求めて設定することができる。
【００２１】
入力中背景情報取得部３１３は、医師等による診療記録に対応する書誌に含まれる患者ＩＤ・利用者ＩＤ・施設ＩＤ・文書種別ＩＤ等に基づいてストレージ装置１の背景情報ＤＢ１０１から関連する背景情報を背景情報３１４として取得する機能を有している。背景情報３１４のデータ構造は背景情報ＤＢ１０１と同様である。入力中患者臨床情報取得部３１５は、医師等による診療記録に対応する書誌に含まれる患者ＩＤ等に基づいてストレージ装置１の臨床情報ＤＢ１０２から関連する臨床情報を臨床情報３１６として取得する機能を有している。臨床情報３１６のデータ構造は臨床情報ＤＢ１０２と同様である。
【００２２】
マッチング処理部３１７は、用語解析処理部３１２により抽出された用語に複数の候補がある場合に、各候補についての医学用語辞書３０６等の情報と背景情報３１４・臨床情報３１６の間の用語のマッチングを行い、一致態様（一致なし・部分一致・完全一致等）の結果を得る機能を有している。スコア計算・ソート処理部３１８は、マッチング処理部３１７のマッチング結果と注釈つき診療用語統計３０８の用語間の共起統計値に基づき、一致態様や共起統計の作成状態（注釈なしから生成したか、注釈ありから生成したか）等について重み付けを行ってスコアを計算し、スコア順にソートを行って注釈つき単語選択候補リスト３２０を生成する機能を有している。
【００２３】
フィードバック提示部３２１は、注釈つき単語選択候補リスト３２０の上位にスコアが所定の閾値を超えない複数の候補が残っている場合に、入力者に対して候補から正解を選択するように要求し、フィードバック入力部３２２を介して選択を受け付ける機能を有している。また、フィードバック提示部３２１は、注釈つき診療用語統計３０８を更新するための情報として、注釈つき学習用教師データ３２５を生成する機能も有している。注釈つき学習用教師データ３２５は、図３に示すように、用語と注釈と用語候補と採否（利用者による選択結果）が含まれている。注釈つき学習用教師データ３２５の内容は、それ以前に生成された注釈つき学習用教師データ３２６に追加されて蓄積される。
【００２４】
図２に戻り、注釈つき診療記録テキスト生成部３２３は、スコアから自動的に決定された候補の注釈や、入力者により選択された候補の注釈を含めた注釈つき診療記録テキスト３２４を生成する機能を有している。注釈つき診療記録テキスト３２４は、ストレージ装置１の注釈つき診療記録１０３として格納される。
【００２５】
また、端末装置３は、注釈つき診療用語統計３０８を更新するための構成として、注釈つき診療用語統計更新部３２７を備えている。注釈つき診療用語統計更新部３２７は、注釈つき診療用語統計３０８と注釈つき学習用教師データ３２６に基づいて、注釈つき診療用語統計３０８の内容を更新する機能を有している。
【００２６】
図４は端末装置３のハードウェア構成例を示す図である。図４において、端末装置３は、バス３７を介して相互に接続されたＣＰＵ（Central Processing Unit）３１、ＲＯＭ（Read Only Memory）３２、ＲＡＭ（Random Access Memory）３３、ＨＤＤ（Hard Disk Drive）／ＳＳＤ（Solid State Drive）３４、接続Ｉ／Ｆ（Interface）３５、通信Ｉ／Ｆ３６を備えている。ＣＰＵ３１は、ＲＡＭ３３をワークエリアとしてＲＯＭ３２またはＨＤＤ／ＳＳＤ３４等に格納されたプログラムを実行することで、端末装置３の動作を統括的に制御する。接続Ｉ／Ｆ３５は、端末装置３に接続される機器とのインタフェースである。通信Ｉ／Ｆ３６は、ネットワークを介して他の情報処理装置と通信を行うためのインタフェースである。
【００２７】
図２で説明した端末装置３の機能は、ＣＰＵ３１において所定のプログラムが実行されることで実現される。プログラムは、記録媒体を経由して取得されるものでもよいし、ネットワークを経由して取得されるものでもよいし、ＲＯＭ組込でもよい。
【００２８】
＜動作＞
図５は上記の実施形態の処理例を示すフローチャートであり、図５（ａ）は準備段階の処理例を示し、図５（ｂ）は診療記録作成時の処理例を示している。
【００２９】
先ず、図５（ａ）において、準備段階の処理を開始すると、背景情報プレ取得部３０１は、ストレージ装置１の背景情報ＤＢ１０１から時期やその他の条件で絞り込んだ所定範囲の背景情報を取り込み、背景情報３０２を生成する（ステップＳ１１）。
【００３０】
次いで、臨床情報プレ取得部３０３は、ストレージ装置１の臨床情報ＤＢ１０２から時期やその他の条件で絞り込んだ所定範囲の臨床情報を取り込み、臨床情報３０４を生成する（ステップＳ１２）。
【００３１】
次いで、注釈つき医学用語統計抽出部３０５は、背景情報３０２と臨床情報３０４を入力として、それぞれを形態素解析等の自然言語処理プロセスにより品詞分解する（ステップＳ１３）。
【００３２】
次いで、注釈つき医学用語統計抽出部３０５は、背景情報３０２と臨床情報３０４から品詞分解された用語について、Ｎ−ｇｒａｍ解析等により共起統計値（２つの用語が近接して出現する確率の統計値）を算出する（ステップＳ１４）。
【００３３】
次いで、注釈つき医学用語統計抽出部３０５は、背景情報３０２と臨床情報３０４から品詞分解された用語について、医学用語辞書３０６と標準コードマスタ類３０７を参照し、それらに存在する用語であれば、それらに掲載された解説や標準コードを当該用語に対する注釈として付加する（ステップＳ１５）。また、注釈には当該用語に対する背景情報も付加する。
【００３４】
そして、用語と注釈と共起統計値を含んだ注釈つき診療用語統計３０８を生成し（ステップＳ１６）、事前準備の処理を終了する。
【００３５】
次に、図５（ｂ）において、診療記録作成時の処理を開始すると、端末装置３の注釈つき用語選択候補生成部３０９の入力中データ取得部３１０は、医師等による入力中のカルテ記事のテキストデータを入力中データ３１１として取得する（ステップＳ２０１）。図６（ａ）は取得した入力中データ３１１の例を示している。
【００３６】
次いで、図５（ｂ）に戻り、用語解析処理部３１２は、入力中データ３１１を形態素解析等により品詞分解する（ステップＳ２０２）。図６（ｂ）は図６（ａ）の入力中データ３１１から品詞分解により抽出された用語（ターム）の一つである「ＡＳＤ」を示している。この例では、医師等の入力者は「Aortic Septal Defect」の意で使用したものと想定している。
【００３７】
次いで、図５（ｂ）に戻り、用語解析処理部３１２は、抽出した各用語について、医学用語辞書３０６と標準コードマスタ類３０７を参照し、解説や標準コードを取得する（ステップＳ２０３）。この際、医学用語辞書３０６や標準コードマスタ類３０７に存在しない用語の場合は、医学用語（新語追加分）３１９として医学用語辞書３０６に追記する（ステップＳ２０４）。なお、医学用語（新語追加分）３１９は既存の医学用語辞書３０６に新語として識別できる区分を付して追記する。
【００３８】
図６（ｃ）は、図６（ｂ）の用語「ＡＳＤ」について、医学用語辞書３０６と標準コードマスタ類３０７を参照して得られた解説および標準コードの例を示している。この例では、用語「ＡＳＤ」について４つの異なる候補があるものとしている。
【００３９】
次いで、図５（ｂ）に戻り、入力中患者臨床情報取得部３１５は、用語解析処理部３１２で抽出された各用語のうち、医学用語辞書３０６および標準コードマスタ類３０７との対応づけで複数の候補があるものについて、現在入力中のカルテ記事の対象患者の患者ＩＤ等に基づいて臨床情報ＤＢ１０２から関連する臨床情報３１６を取得する（ステップＳ２０５）。
【００４０】
同様に、入力中背景情報取得部３１３は、用語解析処理部３１２で抽出された各用語のうち、医学用語辞書３０６および標準コードマスタ類３０７との対応づけで複数の候補があるものについて、現在入力中のカルテ記事の対象患者の患者ＩＤ、利用者の利用者ＩＤ、施設の施設ＩＤ、文書の文書種別ＩＤ等に基づいて背景情報ＤＢ１０１から関連する背景情報３１４を取得する（ステップＳ２０６）。なお、背景情報の取得は、臨床情報の取得よりも先に行ってもよいし、並行して行ってもよい。
【００４１】
図７（ａ）は、入力中患者臨床情報取得部３１５により取得された関連する臨床情報３１６の例を示している。図７（ｂ）は、入力中背景情報取得部３１３により取得された関連する背景情報３１４の例を示している。
【００４２】
次いで、図５（ｂ）に戻り、マッチング処理部３１７は、用語解析処理部３１２で抽出された各用語のうち、医学用語辞書３０６および標準コードマスタ類３０７との対応づけで複数の候補があるものについて、各用語の解説等の記載に対する臨床情報３１６と背景情報３１４の記載内容の対応づけ（マッチング）を行い、一致なし・部分一致・完全一致等の比較結果を出力する（ステップＳ２０７）。図８は、図６（ｃ）の抽出データ＃１の４つの候補のそれぞれについて、図７（ａ）の臨床情報（抽出データ＃２）と図７（ｂ）の背景情報（抽出データ＃３）とのマッチングの結果の例を示している。すなわち、１番目と２番目の候補については、臨床情報および背景情報との一致はない。また、３番目の候補については、部分一致と完全一致が存在している。４番目の候補については、部分一致が存在している。
【００４３】
次いで、図５（ｂ）に戻り、スコア計算・ソート処理部３１８は、複数の候補がある用語について、比較結果と注釈つき診療用語統計３０８の共起統計値と所定の重みによりスコアを計算し、スコアの高い順にソートして注釈つき単語選択候補リスト３２０を出力する（ステップＳ２０８）。
【００４４】
注釈つき診療用語統計３０８は、データ入力環境を限定しない背景情報ＤＢ１０１・臨床情報ＤＢ１０２の文書データに基づくものであり、それらの文書データにおける文字列の出現確率の情報であるため、マッチングおよびスコアリングの過程で共通した文字列が検出されているとみることができる。
【００４５】
図９は注釈つき診療用語統計３０８の共起統計値の例を示しており、注釈（アノテーション）なしとありの場合の値の例を示している。図１０（ａ）は図６（ｃ）の４つの候補について、計算されたスコア（先頭の数値がスコアを示す）の例を示している。ここでは、一致なしの重みを「０」、部分一致の重みを「０．３」、完全一致の重みを「１．０」とし、注釈（アノテーション）なしとありの場合は１：１で計算した例である。図１０（ｂ）は図１０（ａ）の結果を、スコアの高い順にソートした例である。
【００４６】
次いで、図５（ｂ）に戻り、フィードバック提示部３２１は、スコアが所定値以上等の条件を満たす候補が複数ある場合等、特定の条件を満たす場合に、フィードバック入力部３２２により入力者に対して正解の選択を要求して選択を行わせる（ステップＳ２０９）。なお、選択肢が複数存在すること、およびシステム側が自動判定した候補（該当する標準コードマスタ上の標準コード、標準名称等）の確認をホーバーウィンドウ等のＧＵＩで入力者により行わせる場合は、選択に代えて単に確認を行わせるようにすることもできる。
【００４７】
図１１（ａ）は、図６（ａ）の入力中データ３１１のうち、上から４行目の用語「ＡＳＤ」に複数の候補がある場合に、該当部分に強調表示（色、下線、フォント、字体等の変化）を行った状態を示している。この状態で図１１（ｂ）に示すように、用語「ＡＳＤ」の部分にマウスポインタを重ねることで、選択肢（スコアが高い順に表示）を含むホーバーウィンドウが表示され、正解の候補を選択することができる。最上位スコアの選択肢が予め選択された状態で表示されていて、確認のみとすることもできる。
【００４８】
なお、複数の候補から正解の候補を選択することは、対象となる用語についての属性情報ないしは分類情報を選択することと等価である。
【００４９】
次いで、図５（ｂ）に戻り、注釈つき診療記録テキスト生成部３２３は、フィードバック提示部３２１からの学習情報（入力者による選択または確認）を含む注釈つき用語情報を取得し、注釈つき診療記録テキスト生成部３２３を出力する（ステップＳ２１０）。注釈つき診療記録テキスト３２４は、ストレージ装置１の注釈つき診療記録１０３として格納される。注釈つき診療記録テキスト生成部３２３をストレージ装置１に保存することで、電子カルテのテキスト記事は生成時から、シソーラスや標準コードと対応づけされた注釈を保持したものとなり、臨床データの２次利用にあたって精度の高いデータ活用が可能となる。
【００５０】
図１２はＸＭＬ形式による注釈情報の例を示す図である。図１２（ａ）は、カルテ記事の先頭または末尾に挿入される例であり、用語「ＡＳＤ」が標準医学用語であり、「Aortic Septal Defect」を意味することを示している。図１２（ｂ）は、タグを予め定義することにより、表記を簡略化したものである。図１２（ｃ）は、カルテ記事で用語「ＡＳＤ」が出てくる部分に注釈情報を挿入した例である。表記は図１２（ｂ）のものを用いているが、図１２（ａ）のものを用いてもよい。また、注釈には、用語の意味を示す情報だけではなく、背景情報に含まれる診療科等の属性情報を含めることもできる。
【００５１】
図５（ｂ）に戻り、フィードバック提示部３２１は、注釈つき診療用語統計３０８を更新するための情報として、注釈つき学習用教師データ３２５を生成する（ステップＳ２１１）。注釈つき学習用教師データ３２５は注釈つき学習用教師データ３２６に追加されて蓄積される。そして、注釈つき診療用語統計更新部３２７は、注釈つき診療用語統計３０８と注釈つき学習用教師データ３２６に基づいて、注釈つき診療用語統計３０８の内容を更新する。すなわち、入力者からの正解のフィードバックに基づいて学習（再学習）を行い、注釈つき診療用語統計３０８を更新する。これにより、運用を通して自動的にスコア計算の精度を高めていくことができる。
【００５２】
なお、初期状態において背景情報ＤＢ１０１と臨床情報ＤＢ１０２の情報に基づいて注釈つき診療用語統計３０８を生成し、その後の診療記録の入力に応じて学習（再学習）を行う例について説明したが、所定の頻度で背景情報ＤＢ１０１と臨床情報ＤＢ１０２に注釈つき診療記録１０３を加えた情報から注釈つき診療用語統計３０８を生成しなおすことで、学習（再学習）を省略することもできる。
【００５３】
＜総括＞
以上説明したように、本実施形態によれば、登録する文字列の意味を明確にすることができる。
【００５４】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００５５】
以上の説明に関し、更に以下の項を開示する。
（付記１）
異なるデータ入力環境における共通した文字列の入力の検出に応じて、前記文字列を記憶部に記憶させる際に、前記文字列に付与する分類情報の入力を求める表示画面を出力する処理、
をコンピュータに実行させることを特徴とする属性付与制御プログラム。
（付記２）
入力された前記文字列に関連する文書データと、前記文字列に対応づけられた複数種類の文字列とを、データ入力環境を限定しない文書データにおける文字列の出現確率の情報を用いて評価した結果に基づき、前記分類情報の入力を求める、
ことを特徴とする付記１に記載の属性付与制御プログラム。
（付記３）
前記異なるデータ入力環境は、対象者、入力者、入力場所、入力端末、文書種類の少なくともいずれかが異なる環境を含む、
ことを特徴とする付記１または２に記載の属性付与制御プログラム。
（付記４）
異なるデータ入力環境における共通した文字列の入力の検出に応じて、前記文字列を記憶部に記憶させる際に、前記文字列に付与する分類情報の入力を求める表示画面を出力する手段、
を備えたことを特徴とする情報処理装置。
（付記５）
入力された前記文字列に関連する文書データと、前記文字列に対応づけられた複数種類の文字列とを、データ入力環境を限定しない文書データにおける文字列の出現確率の情報を用いて評価した結果に基づき、前記分類情報の入力を求める、
ことを特徴とする付記４に記載の情報処理装置。
（付記６）
前記異なるデータ入力環境は、対象者、入力者、入力場所、入力端末、文書種類の少なくともいずれかが異なる環境を含む、
ことを特徴とする付記４または５に記載の情報処理装置。
（付記７）
異なるデータ入力環境における共通した文字列の入力の検出に応じて、前記文字列を記憶部に記憶させる際に、前記文字列に付与する分類情報の入力を求める表示画面を出力する処理、
をコンピュータが実行することを特徴とする属性付与制御方法。
（付記８）
入力された前記文字列に関連する文書データと、前記文字列に対応づけられた複数種類の文字列とを、データ入力環境を限定しない文書データにおける文字列の出現確率の情報を用いて評価した結果に基づき、前記分類情報の入力を求める、
ことを特徴とする付記７に記載の属性付与制御方法。
（付記９）
前記異なるデータ入力環境は、対象者、入力者、入力場所、入力端末、文書種類の少なくともいずれかが異なる環境を含む、
ことを特徴とする付記７または８に記載の属性付与制御方法。
【符号の説明】
【００５６】
１          ストレージ装置
１０１      背景情報ＤＢ
１０２      臨床情報ＤＢ
１０３      注釈つき診療記録
２          ネットワーク
３          端末装置
３０１      背景情報プレ取得部
３０２      背景情報
３０３      臨床情報プレ取得部
３０４      臨床情報
３０５      注釈つき医学用語統計抽出部
３０６      医学用語辞書
３０７      標準コードマスタ類
３０８      注釈つき診療用語統計
３０９      注釈つき用語選択候補生成部
３１０      入力中データ取得部
３１１      入力中データ
３１２      用語解析処理部
３１３      入力中背景情報取得部
３１４      背景情報
３１５      入力中患者臨床情報取得部
３１６      臨床情報
３１７      マッチング処理部
３１８      スコア計算・ソート処理部
３１９      医学用語（新語追加分）
３２０      注釈つき単語選択候補リスト
３２１      フィードバック提示部
３２２      フィードバック入力部
３２３      注釈つき診療記録テキスト生成部
３２４      注釈つき診療記録テキスト
３２５      注釈つき学習用教師データ
３２６      注釈つき学習用教師データ
３２７      注釈つき診療用語統計更新部
【図１】
0006679954.tif 000002
【図２】
0006679954.tif 000003
【図３】
0006679954.tif 000004
【図４】
0006679954.tif 000005
【図５】
0006679954.tif 000006
【図６】
0006679954.tif 000007
【図７】
0006679954.tif 000008
【図８】
0006679954.tif 000009
【図９】
0006679954.tif 000010
【図１０】
0006679954.tif 000011
【図１１】
0006679954.tif 000012
【図１２】
0006679954.tif 000013